(57)【要約】      （修正有）【課題】連続プレス成型できて生産がスピーディ、且つ組立時間を省き、及びコストを下げ、市場競争力を備えて経済効率に沿うＬＥＤ放熱器の構造を提供する。【解決手段】放熱性に優れた細長形状板材で成型して底面区２１、側面区２２、上面区２３、側面区２２を備えて連続した複数配列で構成される放熱器である。該放熱器の上面区２３、底面区２１の長さは同じで、且つ側面区２２に対してそれぞれ垂直であり、また各側面区２２の長さは同じで且つ上面区２３、底面区２１の長さより長い。【選択図】図４
2010219428.tif 000002
【特許請求の範囲】
【請求項１】
放熱性に優れた細長形状板材で成型して底面区、側面区、上面区、側面区を備えて順に連続する複数配列で構成し、前記上面区と底面区の長さは同じ長さとし、かつ前記側面区に対してそれぞれ垂直に形成すると共に、前記各側面区の長さは同じで且つ前記上面区と底面区の長さより大きくしたことを特徴とするＬＥＤ放熱器の構造。
【請求項２】
上放熱器と底放熱器とを粘着させて構成した両段式放熱器であることを特徴とする請求項１記載のＬＥＤ放熱器の構造。
【請求項３】
底盤及びその上に組み上げる両片式放熱片もしくは複数片式放熱片を備え、底盤表面には多数組が相互に対応し且つ上向きの複数個の固定支持脚を設置し、前記両片式放熱片もしくは複数片式放熱片を前記底盤上に設置したとき、前記固定支持脚によって両側面区間の底面区区間内に内向きに湾曲して両片式放熱片もしくは複数片式放熱片を固定し、該両片式放熱片及び複数片式放熱片は成型後、両片式放熱片に一底面区及びそれと垂直で相互に向き合う両側面区を備え、また複数片式放熱片は二枚以上の底面区及びそれと垂直で更に相互に向き合う二枚以上の側面区を備え、両片式放熱片もしくは複数片式放熱片ユニットを低盤に固定して構成したことを特徴とする請求項１記載のＬＥＤ放熱器の構造。
【請求項４】
前記底面区は縱方向面で、側面区が横方向面であることを特徴とする請求項１記載のＬＥＤ放熱器の構造。
【請求項５】
前記放熱器底端面は円弧形状に形成され、円弧形状の放熱管と相互に固定されて、側面区が外向き放射状に開いて各側面区間の空間を増やし、放熱の空洞を更に大きくして放熱效果を更に高めることを特徴とする請求項１記載のＬＥＤ放熱器の構造。
【発明の詳細な説明】
【技術分野】
【０００１】
本発明は、放熱性に優れたＬＥＤ放熱器の構造に関する。
【背景技術】
【０００２】
図１及び２は、従来のＬＥＤ放熱器の構造を示している。放熱器１のユニット構造は、単一片の放熱片１０の一枚一枚を人手で組み立てている。この単一の放熱片１０は、上端に最上連接片１１を、また下端に底連接片１２を有しており、これらは外向きに延設されている。これら最上連接片１１、底連接片１２は、放熱片１０の曲がり角箇所に通孔１３を設けている。前記二枚の単一片の放熱片１０を組み立てる時、前記通孔１３に最上連接片１１、底連接片１２の前縁に設けた延長支持脚１４を差し込み、外向きに固定する。この種の単一片の放熱片１０ユニットを固定する方法は、現在、放熱器に関する発明者の設計ポイントであり、如何にして一枚一枚の組立を簡単、かつスピーディに組み立てるかであるが、一番の欠点は一枚一枚の単一片の放熱片１０を順に組み立てなければならない他に、以下の欠点がある。
【０００３】
前記のように各単一片の放熱片１０は相互に結合し、最上連接片１１、底連接片１２の前縁寄りに設けた延長支持脚１４を通孔１３に差し込んで相互に組み合わせるようになっている。しかしながら、延長支持脚１４の薄片を通孔１３に差し込むには、組立作業員が必要であり、しかも通孔１３に差し込んだ延長支持脚１４を外向きに湾曲して固定する必要があるが、別の放熱片１０を設置する時、機具と部分組立が完了した放熱器１とがぶつかり前記延長支持脚１４が壊れしやすい。更に組立品の品質と生産速度が影響し、大幅なコスト高と不良品の増加をもたらすため、市場競争力を持たない。
【０００４】
従来の放熱器１は、各単一片の放熱片１０を相互に結合して形成されるため、該放熱器１は少なくとも例えば十六片の放熱片１０で構成される。そのため、一本の放熱器１用生産ラインは、少なくとも十六人の組立作業員が必要であり、大量の人件コストがかかり、市場競争力がない。特にそのうちの一動線に問題が発生すれば、全体のスムーズな流れに悪影響を与え、作業効率が下がってしまう。
【０００５】
前記放熱器１の下端面は、各放熱片１０の底連接片１２を順に配列して固定して構成される。ＬＥＤライトのアルミニウム基板[図未提示]とは相互に粘着できるが、放熱器１の上端は各放熱片１０の最上連接片１１の前縁に設けた延長支持脚１４を別の一片の通孔１３に差し込んだ後外向きに固定しているだけなので、放熱器１本体がＬＥＤライトの熱源を吸収して放熱すると、本体の熱が極度に高くなり、延長支持脚１４は非常に薄い設計であるため、延長支持脚１４が軟化して変形し切れてしまいやすい。各放熱片１０上端部分を相互に貼り合わせると、元の区間配列設計を保つことができず、さらには放熱効果に影響し、実用性に劣る。
【発明の概要】
【発明が解決しようとする課題】
【０００６】
解決しようとする問題点は、従来の放熱器は、生産性が低く、且つ組立時間及びコストがかかり、市場競争力に劣る点である。
【課題を解決するための手段】
【０００７】
本発明のＬＥＤ放熱器の構造は、放熱性に優れた細長形状板材で成型して、底面区、側面区、上面区、側面区を備え、且つ上から順に連続した複数配列で構成される放熱器である。該放熱器の上面区、底面区の長さは同じで、且つ側面区に対してそれぞれ垂直であり、更に各側面区の上下区間に基づき、また各側面区の長さは同じで且つ上面区、底面区の長さより長いことを特徴とする。
【０００８】
この構成で、本発明のＬＥＤ放熱器の構造は、連続プレス成型でき、生産がスピーディ、且つ組立時間及びコストを省き、市場競争力を備えている。
【発明の効果】
【０００９】
本発明のＬＥＤ放熱器の構造は、放熱性に優れていると共に、連続プレス成型できて生産がスピーディ、且つ組立時間及びコストを省いて経済効率に沿うという利点がある。
【図面の簡単な説明】
【００１０】
【図１】従来の放熱器の立体図である。
【図２】従来の放熱器の部分立体分解図である。
【図３】本発明の実施形態の放熱器の展開図である。
【図４】本発明の実施形態の放熱器成型後の立体図である。
【図５】本発明の実施形態の放熱器成型後の右側から見た説明図である。
【図６】本発明第一実施例の両段式放熱器の立体図である。
【図７】本発明第一実施例の両段式放熱器の立体分解図である。
【図８】本発明第二実施例の放熱器と底盤の部分立体分解図である。
【図９】本発明第二実施例の放熱器と底盤の部分立体分解図である。
【図１０】本発明第三実施例の放熱器を回転させた説明図である。
【図１１】本発明第三実施例の放熱器の立体図である。
【図１２】本発明第四実施例の放熱器の右側から見た説明図である。
【発明を実施するための形態】
【００１１】
[実施例]
図３から５は、本発明の実施形態のＬＥＤ放熱器を示す説明図である。本実施の形態のＬＥＤ放熱器の構造は、主に放熱性に優れた細長形状板材２を成形して構成され、機器成型後の放熱器３は底面区２１、側面区２２、上面区２３、側面区２２等を備え、成形した前記板材の複数片を連続連結させて構成されている。前記放熱器３の上面区２３、底面区２１の区間の長さは、同じで且つ側面区２２とそれぞれ垂直であり、また各側面区２２の区間の長さは同じで、且つ上面区２３、底面区２１の区間の長さより長い。
【００１２】
図６及び７に示すのは、本発明の実施例一を示す放熱器３である。該放熱器３は、上放熱器４０と底放熱器４１とを接着固定して構成される両段式放熱器４であり、その全体の大きさは、図３に示す放熱器３と同じである。
【００１３】
図８及び９に示すのは、本発明の実施例二を示す放熱器である。該放熱器５は、底盤５２を有し、及びその上の両片式放熱片５０もしくは複数片式放熱片５１を組み上げて固定して構成される。該両片式放熱片５０及び複数片式放熱片５１はどちらも機器成型後、両片式放熱片５０には底面区２１、及び底面区と垂直で相互に向き合う両個側面区２２を備え、また複数片式放熱片５１は二枚以上の底面区２１、及びその底面区と垂直で相互に向き合う二枚以上の側面区２２を備え、所望の大きさの底盤５２を複数枚設置してもよい。両片式放熱片５０もしくは複数片式放熱片５１ユニットは、底盤５２上に設置して放熱器５を構成する。
【００１４】
図８及び９に示すとおり、底盤５２表面には、複数組が相対し、且つ上向きの複数の固定支持脚５３を設置する。両片式放熱片５０もしくは複数片式放熱片５１を底盤５２上に設置すると、固定支持脚５３によって両側面区２２間の底面区２１之区間内に内向きに湾曲し、両片式放熱片５０もしくは複数片式放熱片５１を固定する。
【００１５】
図１０及び１１並びに図４に示すのは、本発明の実施例三の放熱器である。この放熱器３は長方形状放熱器６である。該長方形状放熱器６と前記放熱器３の製造方法は同じで、形状と大きさが異なるのみである。例として図１０の長方形状放熱器６を時計回りもしくは時計と逆回り方向に９０度回転させる。図１１に表示する長方形状放熱器６は図４に示す放熱器３６と同じで、異なる箇所は底面区２１、側面区２２が縦方向面となり、側面区２２が横方向面となる点である。
【００１６】
図１２に示すのは、本発明の実施例四の放熱器である。この放熱器３底端面は、円弧形状に形成され、円弧形状的放熱管７と相互に固定される。この実施例では、側面区２２は外向きに放射状に開き、各側面区２２間の空間を増やし、放熱のための隙間を大きくすることで放熱効果を更に向上させることができる。
【００１７】
本発明の長所は以下のとおりである。
【００１８】
一に、本発明の放熱器３は放熱性に優れた細長形状板材２を成形して多数の底面区２１、側面区２２、上面区２３を備え、一度に放熱器３を完成させることが可能で、組立に人手を必要とせず、品質と生産速度を兼備し、コストを大幅に下げて競争力を高める。
【００１９】
二に、本発明の放熱器３は、一度に機器を成型することが可能で、生産ラインの設計及び組み立て作業員の配置等を考慮する必要がなく、経済効率が高い。
【００２０】
三に、本発明の放熱器３は、一度に機器を成型し、放熱器３本体がＬＥＤライトの高熱を吸収して放熱するため、高熱が原因で全体構造が破壊されることがなく、長く放熱機能を発揮することができる。
【００２１】
本発明は、この領域に習熟した者が簡単に設計変更できるようにしている。依って、特許請求範囲は広範な解釈に基づき、類似の設計、配置及び応用領域はすべて本発明に属する。
【符号の説明】
【００２２】
１        放熱器
１０        放熱片
１１        最上連接片
１２        底連接片
１３        通孔
１４        延長支持脚
２        細長形状板材
２１        底面区
２２        側面区
２３        上面区
３        放熱器
４        両段式放熱器
４０        上放熱器
４１        底放熱器
５        放熱器
５０        両片式放熱片
５１        複数片式放熱片
５２        底盤
５３        固定支持脚
６        長方形状放熱器
７        放熱管
【図１】
2010219428.tif 000003
【図２】
2010219428.tif 000004
【図３】
2010219428.tif 000005
【図４】
2010219428.tif 000006
【図５】
2010219428.tif 000007
【図６】
2010219428.tif 000008
【図７】
2010219428.tif 000009
【図８】
2010219428.tif 000010
【図９】
2010219428.tif 000011
【図１０】
2010219428.tif 000012
【図１１】
2010219428.tif 000013
【図１２】
2010219428.tif 000014